(57)【要約】【課題】矩形波状ウォブル信号と、余弦波状ウォブル信号とを光ディスク原盤製造装置に選択的に供給する。【解決手段】光ディスク規格による第１のフォーマットに基づいて変調した矩形波状ウォブル波形データと、光ディスク規格による第２のフォーマットに基づいて変調した余弦波状ウォブル波形データとを選択的に切り替える切り替え手段ＳＷ１，ＳＷ２と、矩形波状ウォブル波形データを切り替え手段によって切り替えられた一方の接点を介して入力し、矩形波状ウォブル信号を生成して光ディスク原盤製造装置３０側に出力するコンパレータ２０と、余弦波状ウォブル波形データを切り替え手段によって切り替えられた他方の接点を介して入力し、余弦波状ウォブル信号を生成して光ディスク原盤製造装置３０側に出力するＬＰＦ１７とを備えた。【選択図】      図２
2004241064.tif 000002
【特許請求の範囲】
【請求項１】
矩形波状ウォブル信号と、余弦波状ウォブル信号（又は正弦波状ウォブル信号）とを光ディスク原盤製造装置に選択的に供給して、一つの光ディスク原盤上に矩形状ウォブル溝と、余弦波状ウォブル溝（又は正弦波状ウォブル溝）とを混在させて形成するためのウォブル信号発生装置であって、
光ディスク規格による第１のフォーマットに基づいて変調した矩形波状ウォブル波形データと、光ディスク規格による第２のフォーマットに基づいて変調した余弦波状ウォブル波形データ（又は正弦波状ウォブル波形データ）とを選択的に切り替える切り替え手段と、
前記矩形波状ウォブル波形データを前記切り替え手段によって切り替えられた一方の接点を介して入力し、矩形波状ウォブル信号を生成して前記光ディスク原盤製造装置側に出力するコンパレータと、
前記余弦波状ウォブル波形データ（又は前記正弦波状ウォブル波形データ）を前記切り替え手段によって切り替えられた他方の接点を介して入力し、余弦波状ウォブル信号（又は正弦波状ウォブル信号）を生成して前記光ディスク原盤製造装置側に出力するＬＰＦとを備えたことを特徴とするウォブル信号発生装置。
【請求項２】
請求項１記載のウォブル信号発生装置において、
前記矩形波状ウォブル波形データと、前記余弦波状ウォブル波形データ（又は前記正弦波状ウォブル波形データ）とを検出する変調波形検出手段を備え、この変調波形検出手段からの切り替え信号により前記切り替え手段の前記一方の接点又は前記他方の接点に切り替えることを特徴とするウォブル信号発生装置。
【発明の詳細な説明】
【０００１】
【発明の属する技術分野】
本発明は、矩形波状ウォブル信号と、余弦波状ウォブル信号（又は正弦波状ウォブル信号）とを光ディスク原盤製造装置に選択的に供給して、一つの光ディスク原盤上に矩形状ウォブル溝と、余弦波状ウォブル溝（又は正弦波状ウォブル溝）とを混在させて形成するためのウォブル信号発生装置に関するものである。
【０００２】
【従来の技術】
従来から記録再生型光ディスクには、光ディスク内の位置情報を取得するために、トラック溝に微小な蛇行を与えたウォブル溝が予め形成されている。この種の記録再生型光ディスクを製造する場合には、光ディスク規格による所定のフォーマットで決められたアドレス等のエンコード、誤り訂正符号の付加などの処理を行った後、同じく決められた変調方法でウォブル信号を生成し、このウォブル信号に基づいて光ディスク原盤上にウォブル溝を形成し、この後、光ディスク原盤を基にして周知の電鋳処理によりメタルマスター盤，マザー盤，スタンパ盤を順次作製し、更に、スタンパ盤を周知の射出成型機内に取り付けて、スタンパ盤の信号面を透明な樹脂材を用いて光ディスク基板上に転写することで、光ディスク原盤上に形成したウォブル溝が光ディスク基板上に同じ形態で形成される。そして、光ディスク基板上に予め形成したウォブル溝上に記録膜，反射膜，保護膜を順次成膜して、記録再生型光ディスクを製造している。
【０００３】
そして、光ディスク記録機は、記録再生型光ディスクを用いて光ディスク基板上に予め形成したウォブル溝のうちでデータ記録領域上の記録膜に音声信号，映像信号，コンピュータデータなどの各種の情報信号を記録している。
【０００４】
一方、光ディスク再生機は、記録再生型光ディスクに形成したウォブル溝からウォブル信号を再生し、上記とは反対の復調過程を経てアドレス等を取得して、シークしたり、記録再生型光ディスクの諸情報を得ている。
【０００５】
ところで、上記のような光ディスク原盤上にウォブル溝を形成するためのウォブル信号を発生するウォブル信号発生回路，露光信号発生装置がそれぞれ開示されている（例えば、特許文献１及び特許文献２）。
【０００６】
【特許文献１】
特開平１１−１１０７５９号公報（第４−６頁、第２図）
【０００７】
【特許文献２】
特開平１１−２５９９１７号公報（第６−７頁、第２図）
【０００８】
ここで、上記した特許文献１及び特許文献２を参照しながら一般的なウォブル信号発生装置について図１を用いて説明する。
【０００９】
図１は一般的なウォブル信号発生装置の全体構成を示したブロック図である。
【００１０】
図１に示した如く、一般的なウォブル信号発生装置１０Ａは、ユーザー入力部１１と、データ発生部１２と、データ記憶部１３と、データ送出部１４と、ウォブル波形記憶部１５Ａと、Ｄ／Ａ変換器１６と、ＬＰＦ１７と、増幅器１８とが上記の順で配列して構成されている。
【００１１】
より具体的に説明すると、最初にユーザーがユーザー入力部１１により光ディスク上のアドレスや光ディスクの属性や製造業者名などをパラメータとして入力して、これらのパラメータをデータ発生部１２に送出している。
【００１２】
次に、データ発生部１２は、ユーザー入力部１１からのパラメータによる光ディスク上のアドレスや付加情報を基にして元データを生成し、更に、元データから誤り訂正符号やインターリーブ等を付加して光ディスク規格による所定のフォーマットに準拠して変調したフォーマットデータを生成し、ここで変調したフォーマットデータをデータ記憶部１３に送出し、このデータ記憶部１３で上記したフォーマットデータを一旦記憶させている。
【００１３】
次に、データ送出部１４は、ユーザー入力部１１からのデータ送出開始信号を受けて、データ記憶部１３に一旦記憶させたフォーマットデータの読み出しを行って、データ送出部１４から出力されたフォーマットデータをウォブル波形記憶部１５Ａに送出している。
【００１４】
次に、ウォブル波形記憶部１５Ａは、例えば正弦波状のウォブル波形を予めディジタル的に記憶しており、データ送出部１４から出力され且つ変調したフォーマットデータに応じてディジタルの正弦波状ウォブル波形データを発生して、このディジタルの正弦波状ウォブル波形データをＤ／Ａ変換器１６に送出している。
【００１５】
次に、Ｄ／Ａ変換器１６では、ウォブル波形記憶部１５Ａから出力されたディジタルの正弦波状ウォブル波形データをアナログの正弦波状ウォブル波形データに変換した後に、この正弦波状ウォブル波形データをＬＰＦ（ローパスフィルタ）１７でフィルタリングしてアナログの正弦波状ウォブル信号を得て、更に、増幅器１８でアナログの正弦波状ウォブル信号を光ディスク原盤製造装置３０の信号レベルに合わせて増幅し、増幅器１８からレベル調整した後の正弦波状ウォブル信号を光ディスク原盤製造装置３０に供給している。
【００１６】
この後、光ディスク原盤製造装置３０内では増幅器１８から出力された正弦波状ウォブル信号に基づいてレーザービームＬＢにより光ディスク原盤３１上に正弦波状ウォブル溝をカッテイングしている。
【００１７】
上記した特許文献１によるウォブル信号発生回路、及び、上記した特許文献２による露光信号発生装置では、詳細な説明を省略するものの、光ディスク原盤上にウォブル溝を形成する際に、ウォブル信号は正弦波を用いているので光ディスク原盤上に正弦波状ウォブル溝が形成されており、このように各従来例では、正弦波などによる１種類のウォブル変調方法を行うことで、最適な信号品質による正弦波状ウォブル信号を発生できるような構成になっている。
【００１８】
【発明が解決しようとする課題】
ところで、近年、光ディスクの使用方法の多様化に伴い、上記した各従来例と異なり、一つの光ディスク上で複数の変調方法による複数種のウォブル溝を形成した記録再生型光ディスクが要求されている。
【００１９】
これに伴って、一つの光ディスク原盤上に、例えば、矩形波状ウォブル溝と、余弦波状ウォブル溝（又は正弦波状ウォブル溝）とを形成するためのウォブル信号発生装置の開発が要求されている。
【００２０】
この際、ウォブル信号発生装置として、光ディスク原盤上に例えば矩形波状ウォブル溝を形成するためにディジタル的に変調して矩形波状ウォブル信号を得る矩形波状ウォブル信号発生装置と、光ディスク原盤上に例えば余弦波状ウォブル溝（又は正弦波状ウォブル溝）を形成するためにアナログ的に変調して余弦波状ウォブル信号（又は正弦波状ウォブル信号）を得る余弦波状ウォブル信号発生装置（又は正弦波状ウォブル信号発生装置）とを別々に設けることで、例えば、矩形波状ウォブル信号と、余弦波状ウォブル信号（又は正弦波状ウォブル信号）とがそれぞれ要求された信号品質で得られるものの、上記した２種類の矩形波状ウォブル信号発生装置，余弦波状ウォブル信号発生装置（又は正弦波状ウォブル信号発生装置）をそれぞれ用意しなければならないために、２種類のウォブル信号発生装置に対して合計のコストがかかってしまうと共に、２種類のウォブル信号発生装置の設置場所も必要となるなどの問題点が生じてしまう。
【００２１】
そこで、矩形波状ウォブル信号と、余弦波状ウォブル信号（又は正弦波状ウォブル信号）とを光ディスク原盤製造装置に選択的に供給することができ、且つ、矩形波状ウォブル信号と、余弦波状ウォブル信号（又は正弦波状ウォブル信号）とをそれぞれ要求された信号品質で得られる一つのウォブル信号発生装置が望まれている。
【００２２】
【課題を解決するための手段】
本発明は上記課題に鑑みてなされたものであり、第１の発明は、矩形波状ウォブル信号と、余弦波状ウォブル信号（又は正弦波状ウォブル信号）とを光ディスク原盤製造装置に選択的に供給して、一つの光ディスク原盤上に矩形状ウォブル溝と、余弦波状ウォブル溝（又は正弦波状ウォブル溝）とを混在させて形成するためのウォブル信号発生装置であって、
光ディスク規格による第１のフォーマットに基づいて変調した矩形波状ウォブル波形データと、光ディスク規格による第２のフォーマットに基づいて変調した余弦波状ウォブル波形データ（又は正弦波状ウォブル波形データ）とを選択的に切り替える切り替え手段と、
前記矩形波状ウォブル波形データを前記切り替え手段によって切り替えられた一方の接点を介して入力し、矩形波状ウォブル信号を生成して前記光ディスク原盤製造装置側に出力するコンパレータと、
前記余弦波状ウォブル波形データ（又は前記正弦波状ウォブル波形データ）を前記切り替え手段によって切り替えられた他方の接点を介して入力し、余弦波状ウォブル信号（又は正弦波状ウォブル信号）を生成して前記光ディスク原盤製造装置側に出力するＬＰＦとを備えたことを特徴とするウォブル信号発生装置である。
【００２３】
また、第２の発明は、上記した第１の発明のウォブル信号発生装置において、
前記矩形波状ウォブル波形データと、前記余弦波状ウォブル波形データ（又は前記正弦波状ウォブル波形データ）とを検出する変調波形検出手段を備え、この変調波形検出手段からの切り替え信号により前記切り替え手段の前記一方の接点又は前記他方の接点に切り替えることを特徴とするウォブル信号発生装置である。
【００２４】
【発明の実施の形態】
以下に本発明に係るウォブル信号発生装置の一実施例を図２乃至図４を参照して詳細に説明する。
【００２５】
図２は本発明に係るウォブル信号発生装置の全体構成を示したブロック図、
図３は本発明に係るウォブル信号発生装置において、矩形波変調と余弦波変調とを説明するためのブロック図である。
【００２６】
尚、説明の便宜上、先に図１を用いて説明した一般的なウォブル信号発生装置１０Ａ内の各構成部材と同一構成部材に対しては同一の符号を付して適宜説明し、且つ、異なる構成部材に新たな符号を付して説明する。
【００２７】
図２に示した如く、本発明に係るウォブル信号発生装置１０Ｂは、ユーザー入力部１１と、データ発生部１２と、データ記憶部１３と、データ送出部１４と、複数種のウォブル波形を記録するためのウォブル波形記憶部１５Ｂと、Ｄ／Ａ変換器１６と、ウォブル波形記憶部１５ＢとＤ／Ａ変換器１６との間に追加した変調波形検出部（変調波形検出手段）１９と、Ｄ／Ａ変換器１６と増幅器１８との間に設けられ、矩形波状ウォブル波形データに対応するコンパレータ２０と余弦波状ウォブル波形データ（又は正弦波状ウォブル波形データ）に対応するＬＰＦ（ローパスフィルタ）１７とを変調波形検出部１９からのＳＷ切り替え信号によって選択的に切り替える第１，第２スイッチ（切り替え手段）ＳＷ１，ＳＷ２とで構成されている。
【００２８】
従って、本発明に係るウォブル信号発生装置１０Ｂでは、先に図１を用いて説明した一般的なウォブル信号発生装置１０Ａに対してウォブル波形記憶部１５Ｂ以降の構成が一部異なっている。
【００２９】
上記した本発明に係るウォブル信号発生装置１０Ｂは、矩形波状ウォブル信号と、余弦波状ウォブル信号（又は正弦波状ウォブル信号）とを光ディスク原盤製造装置３０に選択的に供給して、一つの光ディスク原盤３１上に矩形状ウォブル溝と、余弦波状ウォブル溝（又は正弦波状ウォブル溝）とを混在させ、且つ、一つの光ディスク原盤３１上で矩形状ウォブル溝と余弦波状ウォブル溝（又は正弦波状ウォブル溝）とを互いに接続して形成できるように構成したものである。
【００３０】
そして、上記のように形成した光ディスク原盤３１を用いて記録再生型光ディスク（図示せず）を製造した時に、記録再生型光ディスク上に矩形状ウォブル溝と余弦波状ウォブル溝（又は正弦波状ウォブル溝）とが混在して形成されるものである。
【００３１】
尚、以下の説明では、ウォブル信号発生装置１０Ｂにより、矩形状ウォブル信号と余弦波状ウォブル信号とを選択的に生成する場合について説明するが、これに限ることなく、矩形状ウォブル信号と正弦波状ウォブル信号とを選択的に生成するようにしても良い。
【００３２】
より具体的に説明すると、一つの光ディスク原盤３１上に矩形波状ウォブル溝と、余弦波状ウォブル溝とを混在させる場合に、ユーザは光ディスク原盤３１上で矩形波状ウォブル溝を形成する位置と、余弦波状ウォブル溝を形成する位置とが予めわかっているので、ユーザー入力部１１から入力する場合にパラメータとして、矩形波用パラメータと余弦波用パラメータとをそれぞれ区別して入力している。
【００３３】
この後、データ発生部１２は、ユーザー入力部１１からの矩形波用パラメータと余弦波用パラメータとによる光ディスク上のアドレスや付加情報を基にして矩形波用元データと余弦波用元データとをそれぞれ生成し、更に、矩形波用元データから誤り訂正符号やインターリーブ等を付加して光ディスク規格による第１のフォーマットに準拠して変調した矩形波用フォーマットデータと、余弦波用元データから誤り訂正符号やインターリーブ等を付加して光ディスク規格による第２のフォーマットに準拠して変調した余弦波用フォーマットデータとをそれぞれ生成し、両フォーマットデータをデータ記憶部１３に送出し、このデータ記憶部１３で上記した矩形波用フォーマットデータと余弦波用フォーマットデータとを一旦記憶させている。
【００３４】
次に、データ送出部１４は、ユーザー入力部１１から出力されたデータ送出開始信号を受けて、データ記憶部１３に一旦記憶させた矩形波用フォーマットデータ又は余弦波用フォーマットデータのいずれか一方のフォーマットデータの読み出しを行って、データ送出部１４から出力されたいずれか一方のフォーマットデータをウォブル波形記憶部１５Ｂに送出する。この際、ユーザー入力部１１から出力されるデータ送出開始信号は、矩形波用フォーマットデータと余弦波用フォーマットデータとを予め設定した順で順次選択的に送出できるような制御信号である。
【００３５】
次に、図２及び図３に拡大して示したように、ウォブル波形記憶部１５Ｂは、複数種のウォブル波形として少なくとも矩形波状のウォブル波形と余弦波状のウォブル波形とを予めディジタル的に記憶しており、データ送出部１４から変調した矩形波用フォーマットデータが送られた場合にはこの矩形波用フォーマットデータに応じたディジタルの矩形波状ウォブル波形データを発生して、このディジタルの矩形波状ウォブル波形データをＤ／Ａ変換器１６と変調波形検出部１９とに送出する一方、データ送出部１４から変調した余弦波用フォーマットデータが送られた場合にはこの余弦波用フォーマットデータに応じたディジタルの余弦波状ウォブル波形データを発生して、このディジタルの余弦波状ウォブル波形データをＤ／Ａ変換器１６と変調波形検出部１９とに送出している。
【００３６】
次に、Ｄ／Ａ変換器１６では、ウォブル波形記憶部１５Ｂからディジタルの矩形波状ウォブル波形データが送られた場合には、これをアナログの矩形波状ウォブル波形データに変換する一方、ウォブル波形記憶部１５Ｂからディジタルの余弦波状ウォブル波形データが送られた場合には、これをアナログの余弦波状ウォブル波形データに変換している。従って、Ｄ／Ａ変換器１６から出力されるアナログの矩形波状ウォブル波形データは光ディスク規格による第１のフォーマットに基づいて変調した信号であり、一方、Ｄ／Ａ変換器１６から出力されるアナログの余弦波状ウォブル波形データは光ディスク規格による第２のフォーマットに基づいて変調した信号である。
【００３７】
次に、変調波形検出部１９は、ウォブル波形記憶部１５Ｂからディジタルの矩形波状ウォブル波形データが送られたか、又は、ディジタルの余弦波波状ウォブル波形データが送られたかを検出しており、ディジタルの矩形波状ウォブル波形データを検出した場合には第１，第２スイッチＳＷ１，ＳＷ２によって切り替えられた各一方の接点をコンパレータ２０側に切り替えるようなＳＷ切り替え信号｛図４（ｄ）｝を発生する一方、ディジタルの余弦波状ウォブル波形データを検出した場合には第１，第２スイッチＳＷ１，ＳＷ２によって切り替えられた各他方の接点をＬＰＦ１７側に切り替えるようなＳＷ切り替え信号｛図４（ｄ）｝を発生している。
【００３８】
尚、実施例では、ウォブル信号発生装置１０Ｂの信頼性を高めるために、ウォブル波形記憶部１５Ｂから出力されたディジタルの矩形波状ウォブル波形データと、ディジタルの余弦波状ウォブル波形データとに対して変調波形検出部１９でどちらの波形かを検出しているものの、これに限ることなく、データ送出部１４で両者を区別し、このデータ送出部１４からの明示的なＳＷ切り替え信号を利用して第１，第２スイッチＳＷ１，ＳＷ２を選択的に切り替えるなどの方法でも良い。
【００３９】
そして、Ｄ／Ａ変換器１６からアナログの矩形波状ウォブル波形データが出力された場合に、第１，第２スイッチＳＷ１，ＳＷ２によって切り替えられた各一方の接点はコンパレータ２０側に切り替えられているために、アナログの矩形波状ウォブル波形データが第１スイッチッチＳＷ１の一方の接点を介してコンパレータ２０に入力される。一方、Ｄ／Ａ変換器１６からアナログの余弦波状ウォブル波形データが出力された場合に、第１，第２スイッチＳＷ１，ＳＷ２によって切り替えられた各他方の接点はＬＰＦ１７側に切り替えられているために、アナログの余弦波状ウォブル波形データが第１スイッチＳＷ１の他方の接点を介してＬＰＦ１７側に入力される。
【００４０】
ここで、Ｄ／Ａ変換器１６からアナログの矩形波状ウォブル波形データ又はアナログの余弦波状ウォブル波形データが出力された場合の後処理について、図４（ａ）〜（ｄ）を用いて説明する。
【００４１】
図４は矩形波状ウォブル波形データと余弦波状ウォブル波形データの各波形を説明するために模式的に示した図であり、（ａ）はＤ／Ａ変換器から出力された矩形波状ウォブル波形データと余弦波状ウォブル波形データとを示し、（ｂ）はＬＰＦから出力された矩形波状ウォブル波形データと余弦波状ウォブル波形データとを示し、（ｃ）は矩形波状ウォブル波形データに対してコンパレータを通し、余弦波状ウォブル波形データに対してＬＰＦを通した時の両ウォブル信号の最適化出力を示し、（ｄ）は（ｃ）に示した両ウォブル信号の最適化出力を得る際にコンパレータとＬＰＦへのＳＷ切り替え信号出力を示した図である。
【００４２】
尚、図４（ａ）〜（ｃ）中において、左側が矩形波変調のディジタル変調波形であり、右側が余弦波によるアナログ変調波形である。この際、両者は連続したトラックに混在する。
【００４３】
これらの変調信号を再生して復調する際、復調方法が全く異なるので両変調波に対する信号品質の要求特性は当然異なる。即ち、矩形波による矩形波変調波形は、変調波形のエッジの立ち上がり時間，立ち下がり時間の短さ、及び、ウォブル信号読み出し時のＳ／Ｎ比の向上が主眼となる。一方、余弦波によるアナログ変調波形は、歪み特性、及び、ウォブル信号読み出し時のＳ／Ｎ比の向上が主眼となる。
【００４４】
ここで、図４（ａ）に示した各波形は、上記したＤ／Ａ変換器１６から出力されたアナログの矩形波状ウォブル波形データとアナログの余弦波状ウォブル波形データとを接続した状態であり、アナログの矩形波状ウォブル波形データのエッジの立ち上がり時間，立ち下がり時間はＴｒ，Ｔｆであり、両者共に短くて良好だが、Ｄ／Ａ変換器１６のサンプリングクロック間隔に依存し、本当のロジック信号のように短くはできない。
【００４５】
一方、アナログの余弦波状ウォブル波形データは、グリッジが乗ってしまい、そのままでは余弦波に対して歪みが生じている。
【００４６】
次に、図４（ｂ）に示した各波形は、上記したＤ／Ａ変換器１６から出力されたアナログの矩形波状ウォブル波形データとアナログの余弦波状ウォブル波形データとを先に図１で説明したような１種類の変調波形を送出する一般的なウォブル信号発生装置１０Ａ中のＬＰＦ１７に仮に通してフィルタリングした場合の変調波である。この場合、ＬＰＦ１７を通して出力されたアナログの矩形波状ウォブル信号は、エッジの立ち上がり時間，立ち下がり時間がＴｒｆ，Ｔｆｆとなり、図４（ａ）に示した立ち上がり時間，立ち下がり時間Ｔｒ，Ｔｆより長くなり、特性の劣化が起こる。
【００４７】
一方、ＬＰＦ１７を通して出力されたアナログの余弦波状ウォブル信号は、グリッジが除去され、歪特性が向上する。
【００４８】
上記のように、アナログの矩形波状ウォブル波形データと、アナログの余弦波状ウォブル波形データとをそれぞれＬＰＦ１７を通した場合には、矩形波の特性が犠牲になるものの、余弦波の特性を向上できる。
【００４９】
尚、ＬＰＦ１７を用いない場合に、矩形波のエッジの立ち上がり時間，立ち下がり時間にはサンプリングクロック時間の限界があり、余弦波の歪特性も犠牲になる。
【００５０】
そこで、本発明では、図４（ｄ）に示したＳＷ切り替え信号により第１，第２スイッチＳＷ１，ＳＷ２（図２，図３）をコンパレータ２０側とＬＰＦ１７側とに選択的に切り替えており、図４（ｃ）に示したように、Ｄ／Ａ変換器１６から出力されたアナログの矩形波状ウォブル波形データに対してコンパレータ２０を通すことでロジック出力になる。ここで、コンパレータ２０からロジック出力された矩形波状ウォブル信号のエッジの立ち上がり時間，立ち下がり時間はＴｒ１，Ｔｆ１となり、且つ、ロジック出力なので図４（ａ）に示した立ち上がり時間，立ち下がり時間Ｔｒ，Ｔｆよりも大幅に短い。この様にアナログの矩形波状ウォブル波形データをコンパレータ２０に入力することで、Ｄ／Ａ変換器１６からの出力よりも特性の良い矩形波状ウォブル信号が得られる。
【００５１】
一方、Ｄ／Ａ変換器１６から出力されたアナログの余弦波状ウォブル波形データに対してＬＰＦ１７を通してフィルタリングすることで、グリッジを除去した歪特性の良い余弦波状ウォブル信号が得られる。
【００５２】
再び図２及び図３に戻り、コンパレータ２０からロジック出力された矩形波状ウォブル信号は、第２スイッチＳＷ２の一方の接点を介して増幅器１８に選択的に入力される。また、ＬＰＦ１７から出力されたアナログの余弦波状ウォブル信号は、第２スイッチＳＷ２の他方の接点を介して増幅器１８に選択的に入力される。
【００５３】
そして、増幅器１８で矩形波状ウォブル信号，余弦波状ウォブル信号を光ディスク原盤製造装置３０の信号レベルにそれぞれ合わせて増幅し、増幅器１８からレベル調整した後の矩形波状ウォブル信号，余弦波状ウォブル信号を光ディスク原盤製造装置３０に選択的に供給している。
【００５４】
この後、光ディスク原盤製造装置３０内では、増幅器１８から選択的に出力された矩形波状ウォブル信号と余弦波状ウォブル信号とに基づいてレーザービームＬＢにより光ディスク原盤３１上に矩形波状ウォブル溝と余弦波状ウォブル溝とを混在してカッテイングしている。
【００５５】
【発明の効果】
以上詳述した本発明に係るウォブル信号発生装置において、請求項１記載によると、とくに、光ディスク規格による第１のフォーマットに基づいて変調した矩形波状ウォブル波形データと、光ディスク規格による第２のフォーマットに基づいて変調した余弦波状ウォブル波形データ（又は正弦波状ウォブル波形データ）とを選択的に切り替える切り替え手段と、矩形波状ウォブル波形データを切り替え手段によって切り替えられた一方の接点を介して入力し、矩形波状ウォブル信号を生成して光ディスク原盤製造装置側に出力するコンパレータと、余弦波状ウォブル波形データ（又は正弦波状ウォブル波形データ）を切り替え手段によって切り替えられた他方の接点を介して入力し、余弦波状ウォブル信号（又は正弦波状ウォブル信号）を生成して光ディスク原盤製造装置側に出力するＬＰＦとを備えたため、一つのウォブル信号発生装置により矩形波状ウォブル信号と、余弦波状ウォブル信号（又は正弦波状ウォブル信号）とを光ディスク原盤製造装置に選択的に供給することができるので、一つのウォブル信号発生装置を安価に構成できると共に、一つのウォブル信号発生装置の設置場所も小面積になる。
【００５６】
更に、コンパレータからロジック出力される矩形波状ウォブル信号のエッジの立ち上がり時間，立ち下がり時間が短くなり、特性の良い矩形波状ウォブル波形信号が得られると共に、ＬＰＦから出力されるアナログの余弦波状ウォブル信号（又は正弦波状ウォブル信号）はグリッジを除去した歪特性の良い信号が得られる。
【００５７】
また、請求項２記載によると、とくに、矩形波状ウォブル波形データと、余弦波状ウォブル波形データ（又は正弦波状ウォブル波形データ）とを検出する変調波形検出手段を備え、この変調波形検出手段からの切り替え信号により切り替え手段の一方の接点又は他方の接点に切り替えることで、切り替え手段によるコンパレータ側とＬＰＦ側との間の切り替え動作を確実に行うことができ、ウォブル信号発生装置の信頼性向上に寄与できる。
【図面の簡単な説明】
【図１】一般的なウォブル信号発生装置の全体構成を示したブロック図である。
【図２】本発明に係るウォブル信号発生装置の全体構成を示したブロック図である。
【図３】本発明に係るウォブル信号発生装置において、矩形波変調と余弦波変調とを説明するためのブロック図である。
【図４】矩形波状ウォブル波形データと余弦波状ウォブル波形データの各波形を説明するために模式的に示した図である。
【符号の説明】
１０Ｂ…ウォブル信号発生装置、
１１…ユーザー入力部、１２…データ発生部、１３…データ記憶部、
１４…データ送出部、１５Ｂ…ウォブル波形記憶部、１６…Ｄ／Ａ変換器、
１７…ＬＰＦ、１８…増幅器、
１９…変調波形検出手段（変調波形検出部）、２０…コンパレータ、
３０…光ディスク原盤製造装置、３１…光ディスク原盤、
ＬＢ…レーザービームＬＢ、
ＳＷ１，ＳＷ２…切り替え手段（第１，第２スイッチ）。
【図１】
2004241064.tif 000003
【図２】
2004241064.tif 000004
【図３】
2004241064.tif 000005
【図４】
2004241064.tif 000006